(57)【要約】      （修正有）【課題】排紙容量が大きく、カードのような曲げることが困難な媒体を搬送出来る、設置面積の小さな画像読取装置を提供する。【解決手段】シート搬送時は、排紙トレイ１８に排出されたシートの量に応じて、排紙容量が大きくなる方向に排紙トレイが移動し、排紙トレイが装置本体から突出する。カード搬送時は、排紙容量が小さくなる方向に排紙トレイが移動し、排紙トレイにセットされたカードを搬送ローラ８１ｃに押し付け、搬送ローラがシート搬送時とは逆方向に回転することで、カードを装置内部に搬送する。【選択図】図１
2018203478.tif 000002
【特許請求の範囲】
【請求項１】
シートを立てた状態で搬送して前記シートの画像を読み取る画像読取装置において、
第一のシートを前記画像読取装置の本体の外部へ排出し且つ第二のシートを前記画像読取装置本体の内部に搬送する搬送手段と、
前記第一のシートが排出され且つ前記第二のシートが載置される載置手段と、
排出された前記第一のシートの面及び載置された前記第二のシートの面に対して略垂直な方向に前記載置手段を移動させる駆動手段と、
前記載置手段に排出される第一のシート及び前記載置手段に載置される第二のシートの量及び位置に応じて移動しつつ、シートの面をシート面に対して略垂直な方向に押圧する押圧部材と、前記押圧部材の位置を検知する検知手段を有し、
前記載置手段は、前記載置手段に排出される第一のシートの面及び載置される第二のシートの面に対して略平行な面と略垂直な面を持ち、
前記押圧部材が第一の位置にあることを前記検知手段が検知した時、排出された前記第一のシートの面に対して略垂直な方向のうちの前記画像読取装置の本体外部方向である第一の方向に前記載置手段が移動して、前記載置手段の前記略平行な面と前記画像読取装置の本体との間に形成されている、前記第一のシートが排出される領域が拡大し、
前記押圧部材が第二の位置にあることを前記検知手段が検知した時、前記第一の方向とは逆の第二の方向に前記載置手段が移動して、前記載置手段の前記略平行な面と前記画像読取装置の本体との間に形成されている、前記第二のシートを載置する領域が縮小することを特徴とする画像読取装置。
【請求項２】
前記押圧部材が第一の位置にあることを前記検知手段が検知した時、前記搬送手段が前記シートを搬送していなければ、前記載置手段は前記第一の方向に移動しないことを特徴とする請求項１に記載の画像読取装置。
【請求項３】
前記載置手段は、前記第一の方向に移動して前記画像読取装置の本体から突出することを特徴とする請求項１または請求項２の何れかに記載の画像読取装置。
【請求項４】
前記第二の位置に前記押圧部材がある時、前記第二のシートが載置される領域に前記押圧部材が突出する量は、前記第二のシートを前記画像読取装置本体の内部に搬送するための搬送手段が前記領域に突出している量よりも少ないことを特徴とする請求項１から３の何れかに記載の画像読取装置。
【請求項５】
前記載置手段は、前記載置手段に載置された前記第二のシートの面に対して略垂直な方向に変位して前記第二のシートの面を押さえる押付部材を備えることを特徴とする請求項１から請求項４の何れかに記載の画像読取装置。
【請求項６】
前記画像読取装置の本体に配置された前記搬送手段が、前記画像読取装置の本体から前記第一のシートが排出される領域に突出し、前記第二の方向に移動する前記載置手段によって前記載置手段に載置された前記第二のシートは前記搬送手段に押圧され、前記搬送手段によって前記画像読取装置の本体内部へ搬送されることを特徴とする請求項１から請求項５の何れかに記載の画像読取装置。
【請求項７】
前記押圧部材が第一の位置にあることを前記検知手段が検知した時に前記載置手段が前記第一の方向に移動する量は、前記載置手段が初期の位置にある時に前記第一のシートが排出される領域のうちの、排出された前記第一のシートの面に対して略垂直な方向の長さ以下であることを特徴とする請求項１から請求項６の何れかに記載の画像読取装置。
【請求項８】
排出された前記第一のシートの面に対して略垂直な方向に移動する前記載置手段が移動可能な範囲は一定の範囲内で任意に定めることが可能であり、前記押圧部材が第一の位置にあることを前記検知手段が検知した時に、前記載置手段が現在の位置から前記第一の方向に前記移動可能な範囲の分移動すると前記一定の範囲内を超える時、前記載置手段の移動を停止し、シートの搬送を停止することを特徴とする請求項７に記載の画像読取装置。
【請求項９】
シートを搬送する搬送路と、
前記搬送路を搬送されたシートを排出する排出口と、
前記排出口から排出されたシートが載置される載置手段と、
前記載置手段における積載容量が変化するように前記載置手段を駆動する駆動手段と、
前記載置手段に載置されたシートを前記シートの面方向に押圧する押圧部材と、
前記押圧部材の位置を検知する検知手段と、
前記押圧部材が第一の位置にあることを前記検知手段によって検知した時に、前記載置手段の積載容量が増加するように、前記駆動手段を駆動することを特徴とするシート搬送装置。
【請求項１０】
前記第一の位置は、前記押圧部材によって押圧している前記載置手段に載置されたシートが第一の所定枚数以上となる位置であることを特徴とする請求項９に記載のシート搬送装置。
【発明の詳細な説明】
【技術分野】
【０００１】
本発明は、シートを搬送し、排出されたシートを積載する機能を有した、プリンタ等の画像形成装置やスキャナ等の画像読取装置に関し、特にシートを立てた状態で搬送する装置に関する。
【背景技術】
【０００２】
手形や小切手など（以下、小切手類と記す）を立てた状態で搬送し、画像を読み取る画像読取装置が知られている。銀行窓口などの金融機関では、画像読取装置を用いて、小切手類に日付等を印字し、小切手類の画像や、印字されたMICR文字（磁気インク文字）を読み取る。このような装置において、以下の三つの特徴を持つ装置が求められている。
【０００３】
一つ目は、排紙容量の大きな装置である。銀行窓口においてユーザが一度に多くの小切手類を搬送する場合があり、排紙トレイから小切手類を取り出すユーザの手間を出来るだけ省けるように排紙容量が大きいことが望ましい。
【０００４】
二つ目は、プラスチックカードなどの曲げることが困難なカードの画像を読み取る機能を持つ装置である。これは、小切手類を処理するにあたり金銭のやり取りが発生するが、その際の本人確認として運転免許証などのＩＤカードの画像を読み取るためである。
【０００５】
三つ目は、設置面積の小さな装置である。小切手類を搬送する画像読取装置は、銀行窓口のように限られた広さの場所に設置されることが多いため、装置の大きさは出来るだけ小さい方が望ましい。
【０００６】
上記要求の一つ目に示した排紙容量を大きくした装置として、特許文献１では、排紙トレイを昇降可能とし、排出されたシートが多くなるにつれて排紙トレイが下降する装置が提案されている。
【０００７】
また、上記要求の二つ目に示した曲げることが困難なカードを搬送出来る装置として、特許文献２では、小切手類を搬送する機構とは別に、カードを搬送する機構を設けた装置が提案されている。
【先行技術文献】
【特許文献】
【０００８】
【特許文献１】特開平6-9137号公報
【特許文献２】特開2013−20331号公報
【０００９】
上記の特許文献１に記載された構成の場合、排紙トレイに収容されたシートの最上面の高さを検知し、その高さが一定となるように排紙トレイを昇降させることで、装置の排紙容量を大きくすることができる。しかし、排出されたシートは排紙トレイに鉛直方向に積載され、また排紙トレイは鉛直方向に移動するため、装置の設置面積は搬送するシートの大きさや搬送機構などによって決まり、これらによって決まった設置面積をさらに小さくすることは出来ない。
【００１０】
上記の特許文献２に記載された構成の場合、カードを搬送する第二の搬送路が、小切手類を搬送する第一の搬送路から分岐して設けられている。搬送されるカードは、第二の搬送路から第一の搬送路に送り込まれた後、第一の搬送路上に設けられた画像読取センサの読取位置を通過する。その後、カードは送り込まれた方向とは逆方向に搬送され、第一の搬送路上で画像読取センサによってカード画像の読み取りが行われた後、第二搬送路に再度戻る。よって小切手類とカードの画像を読み取る画像読取部を共通として部品点数を削減でき、画像読み取り部以外の機構を効率良く配置出来るのでコンパクトな装置とすることが出来る。しかし、カードを搬送するための第二の搬送路を設けたことにより、第二の搬送路が占める領域分だけは装置が大型化してしまう。
【００１１】
以上のように排紙容量を大きく出来、またカードを搬送することは出来るが、上記要求の三つ目である設置面積の小さな装置とするのが困難となっている。
【発明の概要】
【発明が解決しようとする課題】
【００１２】
本発明はこのような事情を鑑み、シートを立てた状態で搬送するシート画像読取装置において、排紙容量を大きくすることが出来、カードの搬送が可能な、設置面積の小さな装置を提供することを目的とするものである。
【課題を解決するための手段】
【００１３】
本発明は、シートを立てた状態で搬送して前記シートの画像を読み取る画像読取装置において、第一のシートを排出し且つ第二のシートを前記画像読取装置の内部に搬送する搬送手段と、前記搬送手段により前記第一のシートが排出され且つ前記第二のシートを前記画像読取装置内に搬送する時に前記第二のシートが載置される載置手段と、排出された前記第一のシートの面及び載置された前記第二のシートの面に対して略垂直な方向に前記載置手段を移動させる駆動手段と、前記載置手段に排出される第一のシート及び前記載置手段に載置される第二のシートを前記シートの面に対して略垂直な方向に押圧する押圧部材と、前記押圧部材の第一の位置を検知する検知手段１と第二の位置を検知する検知手段２とを有し、前記検知手段１の検知結果に応じて、排出された前記第一のシートの面に対して略垂直な方向のうちの前記画像読取装置の本体外側方向である第一の方向に前記載置手段が移動して前記第一のシートが排出される領域が拡大し、前記検知手段２の検知結果に応じて、前記第一の方向とは逆の第二の方向に前記載置手段が移動して前記載置手段に載置された前記第二のシートを前記搬送手段に押し付けることを特徴とする画像読取装置である。
【発明の効果】
【００１４】
本発明によれば、排紙枚数が多い場合に排紙容量を大きくすることが出来るので、装置を使用していない時や搬送するシートが少ない時に装置の設置面積を最小限に出来る。また、小切手が排出される排紙トレイにカードを載置してカードを画像読取装置内へ搬送するので、カードを載置する機構を専用に設ける必要がなく、設置面積の小さな装置にすることが出来る。以上のように、排紙容量を大きくすることが出来、カードの搬送が可能な、設置面積の小さな装置を、排紙トレイを駆動させることで実現可能としている。
【図面の簡単な説明】
【００１５】
【図１】本実施形態に係る画像読取装置の全体構成概略図。
【図２】排紙トレイの形状と押圧部材の形状を表す図。
【図３】排紙トレイを移動させる構成を表す図。
【図４】排紙量に応じて排紙トレイと押圧部材が移動することを表す図。
【図５】実施例１における、排紙トレイにセットされたカードを搬送する時を表す図。
【図６】実施例１における、カード搬送時の処理を表すフローチャート図。
【図７】実施例２における、排紙トレイにセットされたカードを搬送する時を表す図。
【図８】実施例２における、カード搬送時の処理を表すフローチャート図。
【図９】押付部の構成を表す図
【図１０】搬送ローラの一部を装置内部から排紙トレイに突出するように設けた構成を表す図。
【発明を実施するための形態】
【００１６】
（実施例１）
本発明の実施形態について図１〜図６を用いて説明する。図１は手形や小切手（以下、代表して小切手５０とする）、カードを搬送して読み取るシート搬送装置でもある画像読取装置１００を鉛直上方から見た図である。なお図１では小切手５０を搬送する場合を表しており、カードは図示されていない。
【００１７】
給紙トレイ１には搬送する小切手５０が載置される。小切手５０を装置内に給紙するための給紙ローラ２と、小切手５０を給紙ローラ２に押し付けるための押圧板３が配置されている。
【００１８】
給紙トレイ１と画像読取装置１００内部の原稿搬送路５との境界には、分離ローラ７とフィードローラ６が設置されている。分離ローラ７は給紙ローラ２によって給紙された小切手５０の束を一枚ずつに分離し、フィードローラ６は小切手５０を原稿搬送路５に送り込む。
【００１９】
フィードローラ６の下流側には、搬送ローラ対８ａと、小切手５０上に印刷されたＭＩＣＲ文字の磁化方向を整列する永久磁石１１と、ＭＩＣＲ文字を読み取る磁気ヘッドユニット９が配置されている。
【００２０】
磁気ヘッドユニット９の下流側には、搬送ローラ対８ｂと、搬送ローラ対８ｂによって搬送された小切手５０に印字するエンドーサ１３が配置されている。
【００２１】
エンドーサ１３の下流側には、搬送ローラ対８ｃと、搬送ローラ対８ｃによって搬送された小切手５０の画像を読みとる画像読取センサ１５と、画像読み取りのタイミングを取るためのレジストセンサ１４が配置されている。
【００２２】
画像読取センサ１５の下流側には、排紙ローラ対１６と、排紙ローラ対１６によって排紙口１７を通過して排出される小切手５０を収容し且つ画像読取装置１００内へ搬送するカードを載置するための排紙トレイ１８が配置されている。排紙トレイ１８は図２に示すように、小切手５０の側面が接する側部１８ａと小切手５０の底面を支える底部１８ｂとを持つL字の部材となっている。
【００２３】
また、排紙トレイ１８は側部１８ａに対して略垂直な方向に移動可能に設けられている。図３は排紙トレイ１８を移動させるための構成を表す。排紙トレイ１８の駆動手段３０として、モータ３１と、モータ軸３１ａに取り付けられたギア３２と、排紙トレイ１８の底部１８ｂに配設されたラックギア３３とを用いており、ギア３２とラックギア３３が噛み合っている。不図示の制御手段によりモータ３１の回転を制御し、排紙トレイ１８の移動量や移動速度を制御することが出来る。
【００２４】
なお排紙トレイ１８を移動させる構成としてラックギアとピニオンを用いた機構を示したが、排紙トレイ１８を側部１８ａに対して略垂直に移動させる機構であれば同様の効果を得ることが出来る。
【００２５】
排紙口１７の下流側には、小切手を排紙トレイ１８へ排出し且つ排紙トレイ１８に載置されたカードを画像読取装置１００内へ搬送するための第二排紙ローラ１９が画像読取装置１００の本体に設けられている。
【００２６】
第二排紙ローラ１９の下流側には、押圧部材２０と、押圧部材２０の第一の回転位置を検知する第一センサ２１ａと、押圧部材２０の第二の回転位置を検知する第二センサ２１ｂが画像読取装置１００の本体に配置されている。
【００２７】
押圧部材２０は図２に示すように、回転軸２０ｃを中心に回動可能に設けられており、第一腕部２０ａと第二腕部２０ｂを有する。押圧部材２０は、不図示の付勢手段によって回転軸２０ｃを回転中心として図１中の矢印Ａ方向に回転するように付勢されている。これにより押圧部材２０の第二腕部２０ｂが排紙トレイ１８に排出された小切手５０を排紙トレイ１８の側部１８ａに押し付け、小切手５０が倒れないようにしている。
【００２８】
押圧部材２０の第一腕部２０ａが第一センサ２１ａによって検知された位置を「第一の位置」、押圧部材２０の第二腕部２０ｂが第二センサ２１ｂによって検知された位置を「第二の位置」とする。なお「第二の位置」は、「第一の位置」から押圧部材２０が矢印Ｂ方向にさらに回転した位置である。
【００２９】
以下に、小切手５０を読み取る際の小切手５０の動きと画像読取装置１００の動作を、図１及び図４を用いて説明する。
【００３０】
ユーザによって給紙トレイ１に載置された小切手５０は、給紙ローラ２によってフィードローラ６と分離ローラ７のニップ部へと搬送され、分離ローラ７によって一枚ずつに分離されつつ、フィードローラ６によって原稿搬送路５へと搬送される。
【００３１】
原稿搬送路５へ搬送された小切手５０は、磁気ヘッドユニット９の読取位置での磁気インク文字を読み取りや、エンドーサ１３の印字位置での印字、画像読取センサ１５の画像読取位置での画像読み取りが行われた後、排紙口１７を通過し、排紙トレイ１８に排出される。
【００３２】
図４−（ａ）は、排紙トレイ１８に小切手５０が排出されていない状態を表す図である。この時の排紙トレイ１８と押圧部材２０の位置が初期位置である。排紙トレイ１８の位置出しは排紙トレイ１８の位置を検出する不図示のセンサの検出結果に基づいて行われる。
【００３３】
図４−（ｂ）は、図４−（ａ）の状態から小切手５０が少量排出された図である。排紙トレイ１８に一枚目に排出された小切手５０は、付勢される押圧部材２０によって排紙トレイ１８の側部１８ａに押し付けられる。排紙トレイ１８に二枚目以降に排出された小切手５０は、付勢される押圧部材２０によって、先に排出された小切手５０の側面に押し付けられる。排紙トレイ１８内の小切手５０の枚数が増えると、押圧部材２０は回転軸２０ｃを中心に回転する。
【００３４】
図４−（ｃ)は、押圧部材２０の第一腕部２０ａが第一センサ２１ａによって検知された状態を表す図である。図４−（ｂ)の状態からさらに小切手５０の枚数が増えると、押圧部材２０は回転し、第一センサ２１ａが押圧部材２０の第一腕部２０ａを検知する「第一の位置」に押圧部材２０が到達する。
【００３５】
図４−（ｄ）は、排紙トレイ１８が移動して画像読取装置１００の本体から突出した状態を表す図である。押圧部材２０が「第一の位置」に到達した後、駆動手段３０によって、排紙トレイが初期位置から図中の矢印Ｅ方向に一定量移動する。排紙トレイ１８は前述のように側部１８ａと底部１８ｂとを持つL字形状となっているため、排紙トレイ１８とともに、排紙トレイ１８に収容された小切手５０も同方向に移動する。小切手５０の移動に合わせて、付勢される押圧部材２０が回転軸２０ｃを中心に矢印Ａ方向に回転し、移動した小切手５０の側面を押し付けるため、収容された小切手５０が倒れることはない。
【００３６】
図４−（ｄ)の状態から、小切手５０がさらに排出されると押圧部材２０が回転し、押圧部材２０が再び「第一の位置」に到達すると排紙トレイが図４−（ｄ）中の矢印Ｅ方向に一定量移動して、排紙トレイ１８は画像読取装置１００の本体から更に突出する。以上を繰り返すことで、排出された小切手５０の枚数に応じて排紙トレイ１８の容量を増やすことができる。よって装置を使用していない時や排紙トレイ１８に排出された小切手５０の枚数が少ない時は設置面積が小さく、排紙トレイ１８に排出された小切手５０の枚数が多い時は、排紙トレイ１８が画像読取装置１００の本体から突出し、排紙容量が大きな装置とすることが出来る。
【００３７】
なお排紙トレイ１８が移動されて画像読取装置１００の周辺の物体に衝突するのを防ぐために、排紙トレイ１８の移動量の制限をユーザが設定可能となっている。具体的にはユーザは、押圧部材２０が「第一の位置」に到達する毎に排紙トレイが移動する量と、許容する排紙トレイの総移動量を設定する。不図示のCPUは、排紙トレイ１８が移動した回数、即ち第一センサ２１ａが押圧部材２０の第一腕部２０ａを検知した回数をカウントする。排紙トレイ１８の移動量と第一センサの検知回数から算出した排紙トレイ１８の総移動量が、ユーザが設定した排紙トレイ１８の総移動量を超える場合に排紙トレイの移動を停止する。
【００３８】
次に排紙トレイ内に載置されたカードが装置内部へと搬送される時のカードの動きと画像読取装置１００の動作を図５及び図６を用いて説明する。
【００３９】
図５（ａ）に示すように、ユーザは排紙トレイ１８内にカード６０を載置する。なお、図５（ａ）中の排紙トレイ１８の位置は図４（ａ）の初期位置と同じである。
【００４０】
載置されたカード６０を画像読取装置１００内部に搬送し、カード６０の画像を読み取るための命令として、ユーザはカード６０を載置後に図５（ｂ）に示すように押圧部材２０を直接またはカード６０を介して矢印Ｂ方向に回転させ、第二センサ２１ｂが押圧部材２０の第二腕部２０ｂを検知する「第二の位置」に押圧部材２０を到達させる。ここで「第二の位置」は、「第一の位置」から押圧部材２０が矢印Ｂ方向にさらに回転した位置であるため、押圧部材２０を矢印Ｂ方向に回転させた時に、押圧部材２０が「第二の位置」に到達する前に「第一の位置」を通過する。しかしカードを搬送するために小切手を給紙しない時（例えば、小切手を搬送する動作中以外）は、不図示のＣＰＵが第一センサ２１ａの出力結果を無視し、小切手を搬送する時のように第一センサ２１ａの出力結果に応じて排紙トレイ１８を図４（ｄ）中の矢印Ｅ方向に移動させないように制御される。
【００４１】
ユーザが押圧部材２０を矢印Ｂ方向に回転させると、図５（ｂ）に示すように第二センサ２１ｂが押圧部材２０を検知する（図６中ステップＳ１１）。ユーザが押圧部材２０を離すと、図５（ｃ）に示すように付勢される押圧部材２０は矢印Ａ方向に回転することで、第二センサ２１ｂが押圧部材２０を検知しなくなる（図６中ステップＳ１２）。その後、カードが排紙トレイ１８に載置されたことを検知する。例えば、画像読取装置１００または排紙トレイ１８に設けられた不図示のセンサがカードを検知すると（図６中ステップＳ１３）、不図示のCPUが排紙トレイ１８を図５（ｄ）中の矢印Ｆの方向に移動させる（図６中ステップＳ１４）。
【００４２】
図５（ｄ）に示すように、排紙トレイ１８が矢印Ｆの方向に移動すると同時に排紙トレイ１８に載置されたカード６０も移動し、排紙トレイ１８がカード６０を介して押圧部材２０を押し付けることで押圧部材２０が矢印Ｂ方向に回転する。図５（ｅ）に示すように、第二センサ２１ｂが押圧部材２０の第二腕部２０ｂを検知する（図６中ステップＳ１５）と、排紙トレイ１８の移動が停止（図６中ステップＳ１６）され、搬送ローラ８１ｃ及び排紙ローラ１６１及び第二排紙ローラ１９が矢印Ｄ方向に回転（図６中ステップＳ１７）してカード６０が画像読取装置１００の内部に搬送される。なお、第二センサ２１ｂが押圧部材２０の第二腕部２０ｂを検知する位置である第二の位置に押圧部材２０が位置する時、カード６０が排紙トレイ１８によって第二排紙ローラ１９に押し付けられるのを押圧部材２０が妨げてはならない。よって押圧部材２０が第二の位置に位置しているときに排紙領域に突出する量は、第二排紙ローラ１９が排紙領域に突出する量以下である。
【００４３】
画像読取装置１００の内部に搬送されたカード６０の後端が画像読取センサ１５を通過したかどうかをレジストセンサ１４が検出する。図５（ｆ）に示すように、画像読取装置１００の内部に搬送されたカード６０の後端が画像読取センサ１５を通過した（図６中ステップＳ１８）後、搬送ローラ８１ｃ及び排紙ローラ１６１及び第二排紙ローラ１９の回転方向を矢印Ｄ方向から矢印Ｃ方向に切り替える（図６中ステップＳ１９）。また排紙トレイ１８を図５（ａ）に示した初期位置まで矢印Ｅ方向に移動させる（図６中ステップＳ２０）。正転する搬送ローラ８１ｃによって、カード６０は原稿搬送路５の下流側に搬送され、原稿搬送路５の下流側に搬送されたカード６０は画像読取センサ１５によって読み取られ（図６中ステップＳ２１）、排紙ローラ１６１及び第二排紙ローラ１９により排紙トレイ１８に排出される。カード６０が排紙トレイに排出される時は排紙トレイ１８が図５（ａ）に示した初期位置にいるため、排紙トレイ１８はカード６０の排出を妨げない。なお、ステップＳ２０における排紙トレイ１８の初期位置への移動は、カード６０が画ぞ読取センサ１５によって読み取られるステップＳ２１が完了するまでの間に行われれば良い。
【００４４】
上記のような構成とすることで、排紙トレイに排出される小切手の枚数が多い時は排紙トレイを移動して排紙容量を大きくすることができるので、装置を使用していない時や排出される小切手の枚数が少ない時は画像読取装置の設置面積を小さくできる。また、カードを載置するための専用の機構を設けず、カードを排紙トレイに載置して画像読取装置内部へ搬送することができるので、カードを搬送できる機構を持ちながらも送装置の設置面積を小さくすることが可能である。
【００４５】
なお、本実施例では押圧部材２０の位置を検知して排紙トレイ１８を移動させる例を説明したが、載置手段に載置された小切手及びカードの排紙トレイ１８の移動方向における位置を検知しても良い。具体的には測定対象までの距離を測定する不図示のセンサを押圧部材２０よりも下流側に設け、排紙トレイ１８に載置された小切手及びカードまでの、排紙トレイ１８の移動方向における距離を測定し、測定した距離の結果に基づき排紙トレイ１８を移動させる。搬送される小切手やカードの動きは、上述した押圧部材２０の位置を検知する時と同様である。
【００４６】
（実施例２）
本発明に係る画像読取装置の実施例２について、図７及び図８を用いて説明する。上記実施例と説明の重複する部分については同一の符号を付して説明を省略する。
【００４７】
本実施例においてカードを搬送する場合は、ユーザがカードを排紙トレイ１８に載置しやすいように押圧部材２０が不図示の係止手段によって所定の位置に固定されることで、「カード搬送モード」に移行する。「カード搬送モード」における排紙トレイ１８の移動の制御は実施例１から変更されている。小切手を搬送する場合は実施例１と同様である。
【００４８】
まずは付勢される押圧部材２０の回転を止めて固定するための構成を説明する。押圧部材２０には不図示の係止部が設けられている。ユーザが押圧部材２０を「第二の位置」まで回転させ、押圧部材２０が画像読取装置１００内部に押し込まれると、不図示の係止部が画像読取装置１００に設けられた不図示の係止手段によって固定されることで、付勢される押圧部材２０は「第二の位置」から回転しなくなる。なお、不図示の固定部は画像読取装置１００に接触するだけでは固定されない。また押圧部材２０の固定は、ユーザが容易に解除することが出来る。
【００４９】
以下に、排紙トレイ内に載置されたカードが装置内部へと搬送される時のカードの動きと画像読取装置１００の動作を説明する。
【００５０】
図７（ａ）に示すように、ユーザが押圧部材２０を回転させ、押圧部材２０が「第二の位置」に到達すると押圧部材２０は画像読取装置１００に固定されて回転しなくなる。押圧部材２０が固定されることで、ユーザはカード６０を排紙トレイ１８に載置しやすくなる。なお、「第二の位置」は、「第一の位置」から押圧部材２０が矢印Ｂ方向にさらに回転した位置であるため、押圧部材２０を固定させるために矢印Ｂ方向に回転させた時に、押圧部材２０が「第二の位置」に到達する前に「第一の位置」を通過する。しかし小切手を給紙しない時は、不図示のＣＰＵが第一センサ２１ａの出力結果を無視し、小切手を搬送する時のように第一センサ２１ａの出力結果に応じて排紙トレイ１８を図４（ｄ）中の矢印Ｅ方向に移動させない。
【００５１】
押圧部材２０が固定されて第二センサ２１ｂが押圧部材２０を一定時間検知する（図８中ステップＳ２２）と、「カード搬送モード」に移行する（図８中ステップＳ２３）。
【００５２】
「カード搬送モード」に移行すると、排紙トレイ１８は図７（ａ）の位置から図７（ｂ）に示したカード載置位置まで矢印Ｆ方向に移動する（図８中ステップＳ２４）。排紙トレイ１８がカード載置位置に移動して、カードが載置される領域を小さくすることで、載置されたカードが倒れるのを防ぐ。
【００５３】
図７（ｃ）に示すように、排紙トレイがカード載置位置に移動した後、ユーザはカード６０を載置する。その後、不図示のコンピュータや画像読取装置１００に設けられた不図示の指令手段によってユーザから画像読取装置１００にカード画像の読取を開始する指令が与えられ（図８中ステップＳ２５）、カードが排紙トレイ１８に載置されたことを検知する不図示のセンサがカードを検知する（図８中ステップＳ２６）と、排紙トレイ１８がカード載置位置から矢印Ｆ方向に一定量移動する（図８中ステップＳ２７）。
【００５４】
排紙トレイ１８は一定量移動後に止まる。排紙トレイ１８が止まる位置は図７（ｃ）に示す位置であり、排紙トレイ１８が排紙トレイ１８に載置されたカード６０を第二排紙ローラ１９に押し付ける。その後搬送ローラ８１ｃ及び排紙ローラ１６１及び第二排紙ローラ１９が矢印Ｄ方向に回転して（図８中ステップＳ２８）、カード６０を画像読取装置１００内に送り込む。
【００５５】
カード６０が画像読取装置１００内に送り込まれてから排紙トレイ１８に排出されるまでは実施例１と同様である。画像読取装置１００の内部に搬送されたカード６０の後端が画像読取センサ１５を通過したかどうかをレジストセンサ１４が検出する。図７（ｄ）に示すように、画像読取装置１００の内部に搬送されたカード６０の後端が画像読取センサ１５を通過した（図８中ステップＳ２９）後、搬送ローラ８１ｃ及び排紙ローラ１６１及び第二排紙ローラ１９の回転方向を矢印Ｄ方向から矢印Ｃ方向に切り替える（図８中ステップＳ３０）。また排紙トレイ１８を図７（ｂ）に示したカード載置位置まで図７（ｄ）に示す矢印Ｅ方向に移動させる（図８中ステップＳ３１）。正転する搬送ローラ８１ｃによって、カード６０は原稿搬送路５の下流側に搬送され、原稿搬送路５の下流側に搬送されたカード６０は画像読取センサ１５によって読み取られ（図８中ステップＳ３２）、排紙ローラ１６１及び第二排紙ローラ１９により排紙トレイ１８に排出される。カード６０が排紙トレイに排出される時は排紙トレイ１８がカード載置位置にいるため、排紙トレイ１８はカード６０の排出を妨げない。
【００５６】
また、カード６０が排出された後は、押圧部材２０の固定が解除されない限りは「カード搬送モード」を継続している。別のカードを続けて搬送する場合は、ユーザは次のカードを載置後、不図示のコンピュータや画像読取装置１００に設けられた不図示の操作部を介して、次のカードを続けて搬送する指令を与える（図８中ステップＳ３３）。指令が与えられると排紙トレイ１８が初期位置から図７（ｂ）中の矢印Ｆ方向に一定量移動して、カードを第二排紙ローラに押し付け、カードを続けて搬送することが可能である。この時実施例１のように、カードが一枚搬送される毎にユーザが押圧部材２０を「第二の位置」まで回転させる必要がない。
【００５７】
カードの搬送を止める場合は、ユーザは押圧部材２０の固定を解除する。この時、第二センサ２１ｂは付勢される押圧部材２０を検知しなくなり、「カード搬送モード」を終了する（図８中ステップＳ３４）。
【００５８】
上記のような構成とすることで、実施例１のように排紙容量が大きく、カードを搬送可能な設置面積の小さな装置を提供できることに加え、押圧部材が装置に固定されることでユーザはカードを排紙トレイに載置しやすくなり、また「カード搬送モード」に移行することで複数枚のカードを連続して搬送するのが容易となる。
【００５９】
（実施例３）
本発明に係る画像読取装置の実施例３について、図９を用いて説明する。上記実施例と説明の重複する部分については同一の符号を付して説明を省略する。
【００６０】
本実施例において画像読取装置１００は、上記各実施例の構成に、カード６０を第二排紙ローラ１９に押し付けるための押付部を排紙トレイ１８に設けている。その他に関しては上記各実施例と同様である。
【００６１】
図９は、排出方向側から見た時の、排紙トレイ１８に押付部４０を設けた構成図である。なお、排紙トレイ１８は断面で表している。図８に示すように排紙トレイ１８の側部１８ａに押付部４０が設けられている。押付部４０は、圧縮ばねなどの弾性部材４１と、弾性部材４１によって付勢される押付部材４２とから成り、押付部材４２は排紙トレイ１８の側部１８ａに対して垂直な方向に移動可能である。これにより、カード６０を装置内に搬送する際に、排紙トレイ１８の移動量の精度や部品の寸法精度などに関わらず、安定してカード６０を第二排紙ローラ１９に押し付けることができる。
【００６２】
また、押付部４０がカード６０に接触する位置と押し付けられたカード６０が第二排紙ローラ１９に接触する位置とがカード６０を挟んで略同一位置となるように押付部４０が配置される。これにより、カードを装置内部に搬送する際は、第二排紙ローラ１９に押し付けられた時のカード６０の面が排紙トレイの側部１８ａに平行且つ排紙トレイの底部１８ｂに垂直となり、カード６０が傾くことなく装置内へ搬送される。
【００６３】
また、小切手の排紙トレイ１８への排出を妨げないために、小切手が排紙トレイ１８の側部１８ａから突出する押付部４０に引っかかることや、押付部４０によって排出方向に対して傾くことを防ぐ必要がある。よって押付部４０は、排出される小切手が引っかからない位置から、押圧部材２０が排紙トレイ１８上の小切手を押圧する位置まで、排出方向に長さを持つことが望ましい。これにより、押圧部材２０によって押し付けられる小切手の面を側部１８ａに対して略平行にすることが可能となる。
【００６４】
（実施例４）
本発明に係る画像読取装置の実施例４について、図１０を用いて説明する。上記実施例と説明の重複する部分については同一の符号を付して説明を省略する。
【００６５】
本実施例において画像読取装置１００は、第二排紙ローラ１９を設けず、排紙ローラ１６１の一部が装置内部から排紙トレイに突出するように排紙ローラ対１６のみを配置している。その他に関しては上記各実施例と同様である。
【００６６】
排紙ローラ１６１の一部を装置内部から排紙トレイ１８に突出させて配置することで、小切手を搬送する時は排紙ローラ対１６が小切手を排紙トレイ１８に排出し、またカードを搬送する時は、排紙トレイ１８が移動することによって排紙トレイ１８に載置されたカード６０が排紙ローラ対１６に押し付けられ、排紙ローラ対１６が回転してカードを装置内部に送り込む。
【００６７】
第二排紙ローラ１９を設けないことで、画像読取装置１００の部品点数を削減できる。
【００６８】
また、本発明は、
シートを搬送する搬送路と、
前記搬送路を搬送されたシートを排出する排出口と、
前記排出口から排出されたシートが載置される載置手段と、
前記載置手段における積載容量が変化するように前記載置手段を駆動する駆動手段と、
前記載置手段に載置されたシートを前記シートの面方向に押圧する押圧部材と、
前記押圧部材の位置を検知する検知手段と、
前記押圧部材が第一の位置にあることを前記検知手段によって検知した時に、前記載置手段の積載容量が増加するように、前記駆動手段を駆動することを特徴とする。
【００６９】
ここで、排紙トレイ１８が載置手段の一例であり、第一センサ２１ａが検知手段の一例である。
【００７０】
この構成によれば、載置手段に排出されたシートを押圧部材によって押さえることができると共に、載置手段への積載量が所定の量を超えたことを、押圧部材が第一の位置に到達したことにより検知して、載置手段の容量を増加させるように駆動手段を駆動して、引き続き載置手段にシートを排出できるようにすることができる。
【００７１】
これは、例えば、シートを継ぎ足しながら搬送している場合においては、給紙トレイに載置できる容量以上の量のシートを搬送して排紙トレイに排出する必要が生じる場合があるが、その場合にも押圧部材の位置を検知することで載置手段にシートが多く排出されていることを検知して、載置手段の容量が増えるように制御することができる。
【００７２】
また、前記第一の位置は、前記押圧部材によって押圧している前記載置手段に載置されたシートが第一の所定枚数以上となる位置であることを特徴とする。
【００７３】
この構成によれば、載置手段の積載容量に対して満杯が近づいていることを検知して、最手段の容量が増えるように制御することができる。
【符号の説明】
【００７４】
１  給紙トレイ
２  給紙ローラ
３  押圧板
５  原稿搬送路
６  フィードローラ
７  分離ローラ
８ａ〜ｃ  搬送ローラ対
８１ａ〜ｃ  搬送ローラ
９  磁気ヘッドユニット
１１  永久磁石
１３  エンドーサ
１４  レジストセンサ
１５  画像読取センサ
１６  排紙ローラ対
１６１  排紙ローラ
１７  排紙口
１８  排紙トレイ
１８ａ  側部
１８ｂ  底部
１９  第二排紙ローラ
２０  押圧部材
２０ａ  第一腕部
２０ｂ  第二腕部
２０ｃ  回転軸
２１ａ  第一センサ
２１ｂ  第二センサ
３０  駆動手段
３１  モータ
３１ａ  モータ軸
３２  ギア
３３  ラックギア
４０  押付部
４１  弾性部材
４２  押付部材
５０  小切手
６０  カード
１００  画像読取装置
Ａ  押圧部材の回転方向（時計回り）
Ｂ  押圧部材の回転方向（反時計回り）
Ｃ  搬送ローラ及び排紙ローラの正転方向
Ｄ  搬送ローラ及び排紙ローラの逆転方向
Ｅ  排紙トレイの第一の移動方向
Ｆ  排紙トレイの第二の移動方向
【図１】
2018203478.tif 000003
【図２】
2018203478.tif 000004
【図３】
2018203478.tif 000005
【図４】
2018203478.tif 000006
【図５】
2018203478.tif 000007
【図６】
2018203478.tif 000008
【図７】
2018203478.tif 000009
【図８】
2018203478.tif 000010
【図９】
2018203478.tif 000011
【図１０】
2018203478.tif 000012